【手続補正書】
【提出日】平成19年8月8日(2007.8.8)
【手続補正１】
【補正対象書類名】明細書
【補正対象項目名】特許請求の範囲
【補正方法】変更
【補正の内容】
【特許請求の範囲】    【請求項１】  少なくとも一方の面（以下「第１の面」という）に表示画面（文字又は画像を映し出す面。以下同じ）が配置されている第１の筐体と、  少なくとも一方の面（以下「第１の面」という）にタッチパネルやキー群などのデータ入力部が配置され、前記第１の面の反対側の第２の面に表示画面（文字又は画像を映し出す面。以下同じ）が配置されている第２の筐体と、  前記第１の筐体と第２の筐体とを、互いに折り畳み可能に且つ両者が共にユーザーに対して対向可能であるように接続するための接続手段であって、前記第１の筐体と第２の筐体とを、前記第１の筐体の前記表示画面が配置された第１の面と前記第２の筐体の前記データ入力部が配置された第１の面とが共にユーザーから見える第１の状態と、前記第１の筐体の前記表示画面が配置された第１の面と前記第２の筐体の前記表示画面が配置された第２の面とが共にユーザーから見える第２の状態とのいずれの状態をも採り得るように、接続するための接続手段と、を備えたことを特徴とする複数の筐体を有する携帯型情報機器。    【請求項２】  少なくとも一方の面（以下「第１の面」という）に表示画面（文字又は画像を映し出す面。以下同じ）が配置されている第１の筐体と、  少なくとも一方の面（以下「第１の面」という）にタッチパネルやキー群などのデータ入力部が配置され、前記第１の面の反対側の第２の面に表示画面（文字又は画像を映し出す面。以下同じ）が配置されている第２の筐体と、  前記第１の筐体と第２の筐体とを、互いに折り畳み可能に且つ両者が共にユーザーに対して対向可能であるように接続すると共に、前記第１の筐体と第２の筐体とを、前記第１の筐体の前記表示画面が配置された第１の面と前記第２の筐体の前記データ入力部が配置された第１の面とが共にユーザーから見える第１の状態と、前記第１の筐体の前記表示画面が配置された第１の面と前記第２の筐体の前記表示画面が配置された第２の面とが共にユーザーから見える第２の状態とのいずれの状態をも採り得るように、接続するための接続手段であって、前記第１の筐体と前記第２の筐体とを互いに部分的に連結したまま、その部分的に連結した部分を回転中心にして一方の筐体を他方の筐体に対して前記他方の筐体の平面と略直交する方向にグルッと回転させることにより、前記第１の状態又は前記第２の状態から他方の状態に移行させるための接続手段と、を備えたことを特徴とする複数の筐体を有する携帯型情報機器。    【請求項３】  少なくとも一方の面（以下「第１の面」という）に表示画面（文字又は画像を映し出す面。以下同じ）が配置されている第１の筐体と、  少なくとも一方の面（以下「第１の面」という）にタッチパネルやキー群などのデータ入力部が配置され、前記第１の面の反対側の第２の面に表示画面（文字又は画像を映し出す面。以下同じ）が配置されている第２の筐体と、  前記第１の筐体と第２の筐体とを、互いに折り畳み可能に且つ両者が共にユーザーに対して対向可能であるように接続するための接続手段と、  前記第１の筐体と第２の筐体とを、前記第１の筐体の前記表示画面が配置された第１の面と前記第２の筐体の前記データ入力部が配置された第１の面とが共にユーザーから見え���第１の状態と、前記第１の筐体の前記表示画面が配置された第１の面と前記第２の筐体の前記表示画面が配置された第２の面とが共にユーザーから見える第２の状態との、いずれかの状態に切り替えるための切替手段と、を備えたことを特徴とする複数の筐体を有する携帯型情報機器。    【請求項４】  少なくとも一方の面（以下「第１の面」という）に表示画面（文字又は画像を映し出す面。以下同じ）が配置されている第１の筐体と、  少なくとも一方の面（以下「第１の面」という）にタッチパネルやキー群などのデータ入力部が配置され、前記第１の面の反対側の第２の面に表示画面（文字又は画像を映し出す面。以下同じ）が配置されている第２の筐体と、  前記第１の筐体と第２の筐体とを、互いに折り畳み可能に且つ両者が共にユーザーに対して対向可能であるように接続するための接続手段と、  前記第１の筐体と第２の筐体とを、前記第１の筐体の前記表示画面が配置された第１の面と前記第２の筐体の前記データ入力部が配置された第１の面とが共にユーザーから見える第１の状態と、前記第１の筐体の前記表示画面が配置された第１の面と前記第２の筐体の前記表示画面が配置された第２の面とが共にユーザーから見える第２の状態との、いずれかの状態に切り替えるための切替手段であって、前記第１の筐体と前記第２の筐体とを互いに部分的に連結したまま、その部分的に連結した部分を回転中心にして一方の筐体を他方の筐体に対して前記他方の筐体の平面と略直交する方向にグルッと回転させることにより、前記第１の状態又は前記第２の状態から他方の状態に切り替えるための切替手段と、を備えたことを特徴とする複数の筐体を有する携帯型情報機器。    【請求項５】  少なくとも一方の面（以下「第１の面」という）に表示画面（文字又は画像を映し出す面。以下同じ）が配置されている第１の筐体と、  少なくとも一方の面（以下「第１の面」という）にタッチパネルやキー群などのデータ入力部が配置され、前記第１の面の反対側の第２の面に表示画面（文字又は画像を映し出す面。以下同じ）が配置されている第２の筐体と、  前記第１の筐体の長手方向の側部と第２の筐体の長手方向の側部とを、互いに折り畳み可能に且つ両者が共にユーザーに対して対向可能であるように接続するための接続手段であって、前記第１の筐体の長手方向の側部と第２の筐体の長手方向の側部とを、前記第１の筐体の前記表示画面が配置された第１の面と前記第２の筐体の前記データ入力部が配置された第１の面とが共にユーザーから見える第１の状態と、前記第１の筐体の前記表示画面が配置された第１の面と前記第２の筐体の前記表示画面が配置された第２の面とが共にユーザーから見える第２の状態とのいずれの状態をも採り得るように、接続するための接続手段と、を備えたことを特徴とする複数の筐体を有する携帯型情報機器。    【請求項６】  少なくとも一方の面（以下「第１の面」という）に表示画面（文字又は画像を映し出す面。以下同じ）が配置されている第１の筐体と、  少なくとも一方の面（以下「第１の面」という）にタッチパネルやキー群などのデータ入力部が配置され、前記第１の面の反対側の第２の面に表示画面（文字又は画像を映し出す面。以下同じ）が配置されている���２の筐体と、  前記第１の筐体の長手方向の側部と第２の筐体の長手方向の側部とを、互いに折り畳み可能に且つ両者が共にユーザーに対して対向可能であるように接続すると共に、前記第１の筐体の長手方向の側部と第２の筐体の長手方向の側部とを、前記第１の筐体の前記表示画面が配置された第１の面と前記第２の筐体の前記データ入力部が配置された第１の面とが共にユーザーから見える第１の状態と、前記第１の筐体の前記表示画面が配置された第１の面と前記第２の筐体の前記表示画面が配置された第２の面とが共にユーザーから見える第２の状態とのいずれの状態をも採り得るように、接続するための接続手段であって、前記第１の筐体の長手方向の側部と前記第２の筐体の長手方向の側部とを互いに部分的に連結したまま、その部分的に連結した部分を回転中心にして一方の筐体を他方の筐体に対して前記他方の筐体の平面と略直交する方向にグルッと回転ことにより、前記第１の状態又は前記第２の状態から他方の状態に移行させるための接続手段と、を備えたことを特徴とする複数の筐体を有する携帯型情報機器。    【請求項７】  少なくとも一方の面（以下「第１の面」という）に表示画面（文字又は画像を映し出す面。以下同じ）が配置されている第１の筐体と、  少なくとも一方の面（以下「第１の面」という）にタッチパネルやキー群などのデータ入力部が配置され、前記第１の面の反対側の第２の面に表示画面（文字又は画像を映し出す面。以下同じ）が配置されている第２の筐体と、  前記第１の筐体の長手方向の側部と第２の筐体の長手方向の側部とを、互いに折り畳み可能に且つ両者が共にユーザーに対して対向可能であるように接続するための接続手段と、  前記第１の筐体と第２の筐体とを、前記第１の筐体の前記表示画面が配置された第１の面と前記第２の筐体の前記データ入力部が配置された第１の面とが共にユーザーから見える第１の状態と、前記第１の筐体の前記表示画面が配置された第１の面と前記第２の筐体の前記表示画面が配置された第２の面とが共にユーザーから見える第２の状態との、いずれかの状態に切り替えるための切替手段と、を備えたことを特徴とする複数の筐体を有する携帯型情報機器。    【請求項８】  少なくとも一方の面（以下「第１の面」という）に表示画面（文字又は画像を映し出す面。以下同じ）が配置されている第１の筐体と、  少なくとも一方の面（以下「第１の面」という）にタッチパネルやキー群などのデータ入力部が配置され、前記第１の面の反対側の第２の面に表示画面（文字又は画像を映し出す面。以下同じ）が配置されている第２の筐体と、  前記第１の筐体の長手方向の側部と第２の筐体の長手方向の側部とを、互いに折り畳み可能に且つ両者が共にユーザーに対して対向可能であるように接続するための接続手段と、  前記第１の筐体と第２の筐体とを、前記第１の筐体の前記表示画面が配置された第１の面と前記第２の筐体の前記データ入力部が配置された第１の面とが共にユーザーから見える第１の状態と、前記第１の筐体の前記表示画面が配置された第１の面と前記第２の筐体の前記表示画面が配置された第２の面とが共にユーザーから見える第２の状態との、いずれかの状態に切り替えるための切替手段であって、前記��１の筐体の長手方向の側部と前記第２の筐体の長手方向の側部とを互いに部分的に連結したまま、その部分的に連結した部分を回転中心にして一方の筐体を他方の筐体に対して前記他方の筐体の平面と略直交する方向にグルッと回転させることにより、前記第１の状態又は前記第２の状態から他方の状態に切り替えるための切替手段と、を備えたことを特徴とする複数の筐体を有する携帯型情報機器。    【請求項９】  第１の筐体及び第２の筐体を含む携帯型情報機器であって、  前記第１及び第２の筐体を互いに折り畳み可能に且つ両者が共にユーザーに対して対向可能であるように接続するための接続手段を備え、  前記第１の筐体は、少なくともその一方の面に表示画面（文字又は画像を映し出す面。以下同じ）が配置されており、  前記第２の筐体は、その一方の面であって前記第１の筐体の表示画面と共にユーザーに対向する面にタッチパネルやキー群などのデータ入力部が配置されており、その反対側の面に表示画面が配置されており、  前記接続手段は、前記第１の筐体と第２の筐体とを、前記第１の筐体の前記表示画面が配置された第１の面と前記第２の筐体の前記データ入力部が配置された第１の面とが共にユーザーから見える第１の状態と、前記第１の筐体の前記表示画面が配置された第１の面と前記第２の筐体の前記表示画面が配置された第２の面とが共にユーザーから見える第２の状態とのいずれの状態をも採り得るように、接続するものである、ことを特徴とする複数の筐体を有する携帯型情報機器。    【請求項１０】  第１の筐体及び第２の筐体を含む携帯型情報機器であって、  前記第１及び第２の筐体を互いに折り畳み可能に且つ両者が共にユーザーに対して対向可能であるように接続するための接続手段を備え、  前記第１の筐体は、少なくともその一方の面に表示画面（文字又は画像を映し出す面。以下同じ）が配置されており、  前記第２の筐体は、その一方の面であって前記第１の筐体の表示画面と共にユーザーに対向する面にタッチパネルやキー群などのデータ入力部が配置されており、その反対側の面に表示画面が配置されており、  前記第１の筐体と第２の筐体とを、前記第１の筐体の前記表示画面が配置された第１の面と前記第２の筐体の前記データ入力部が配置された第１の面とが共にユーザーから見える第１の状態と、前記第１の筐体の前記表示画面が配置された第１の面と前記第２の筐体の前記表示画面が配置された第２の面とが共にユーザーから見える第２の状態との、いずれかの状態に切り替えるための切替手段を備えたことを特徴とする、複数の筐体を有する携帯型情報機器。    【請求項１１】  少なくとも第１の筐体及び第２の筐体の２つの筐体を含む携帯型情報機器であって、  前記第１及び第２の筐体を、それらが共にユーザーに対向可能で且つ互いに折り畳み可能に接続するための接続手段を備え、  前記第１の筐体は、少なくともその一方の面に表示画面（文字又は画像を映し出す面。以下同じ）が配置されており、  前記第２の筐体は、少なくともその一方の面であって前記第１の筐体の表示画面が配置された面と共にユーザーに対向可能な面に、タッチパネルやキー群などのデータ入力部が配置されており、  前記第１の筐体の前記表示画面が配置された一方��面の反対側にある他方の面に、又は、前記第２の筐体の前記がデータ入力部配置された一方の面の反対側にある他方の面に、ユーザーが遠隔の相手方と会話を行うための送話部及び／又は受話部が配置されている、複数の筐体を有する携帯型情報機器。    【請求項１２】  少なくとも第１の筐体及び第２の筐体の２つの筐体を含む携帯型情報機器であって、  前記第１及び第２の筐体を、それらが共にユーザーに対向可能で且つ互いに折り畳み可能に接続するための接続手段を備え、  前記第１の筐体は、少なくともその一方の面に表示画面（文字又は画像を映し出す面。以下同じ）が配置されており、  前記第２の筐体は、少なくともその一方の面であって前記第１の筐体の表示画面が配置された面と共にユーザーに対向可能な面に、タッチパネルやキー群などのデータ入力部が配置されており、  前記第１の筐体の前記表示画面が配置された一方の面の反対側にある他方の面に、又は、前記第２の筐体の前記データ入力部が配置された一方の面の反対側の他方の面に、ユーザーが遠隔の相手方の電話番号などを入力するための複数の入力キーを含むデータ入力部が配置されている、複数の筐体を有する携帯型情報機器。    【請求項１３】  少なくとも第１の筐体及び第２の筐体の２つの筐体を含む携帯型情報機器であって、  前記第１及び第２の筐体を、それらが共にユーザーに対向可能で且つ互いに折り畳み可能に接続するための接続手段を備え、  前記第１の筐体は、少なくともその一方の面に表示画面（文字又は画像を映し出す面。以下同じ）が配置されており、  前記第２の筐体は、少なくともその一方の面であって前記第１の筐体の表示画面が配置された面と共にユーザーに対向可能な面に、タッチパネルやキー群などのデータ入力部が配置されており、  前記第１の筐体の前記表示画面が配置された一方の面の反対側にある他方の面に、又は、前記第２の筐体の前記がデータ入力部配置された一方の面の反対側にある他方の面に、ユーザーが遠隔の相手方と会話を行うための送話部及び／又は受話部とユーザーが遠隔の相手方の電話番号などを入力するための複数の入力キーを含むデータ入力部とが配置されている、複数の筐体を有する携帯型情報機器。    【請求項１４】  第１の筐体、第２の筐体、及び第３の筐体が、第１、第２、第３の筐体の順に並べられた状態で保持され得る携帯型情報機器であって、  前記第１、第２、及び第３の筐体を、それらが前記順に並べられた状態で折り畳み可能に接続するための接続手段を備え、  前記第１の筐体は、少なくともその一方の面に表示画面（文字又は画像を映し出す面。以下同じ）が配置されており、  前記第２の筐体は、少なくともその一方の面に表示画面が配置されており、  前記第３の筐体は、少なくともその一方の面であって前記第２の筐体と共にユーザーと対向する面に、タッチパネルやキー群などのデータ入力部が配置されている、ことを特徴とする複数の筐体を有する携帯型情報機器。    【請求項１５】  第１の筐体、第２の筐体、及び第３の筐体が、第１、第２、第３の筐体の順に並べられた状態で保持され得る携帯型情報機器であって、  前記第１、第２、及び第３の筐体を、それらが前記順に並べられた状態で折り畳み可能に接続するための接続手段を備え、  前記第１の筐体は、少なくともその一方の面に表示画面（文字又は画像を映し出す面。以下同じ）が配置されており、  前記第２の筐体は、その両面にそれぞれ表示画面が配置されており、  前記第３の筐体は、少なくともその一方の面であって前記第２の筐体と共にユーザーと対向する面に、タッチパネルやキー群などのデータ入力部が配置されている、ことを特徴とする複数の筐体を有する携帯型情報機器。    【請求項１６】  第１の筐体、第２の筐体、及び第３の筐体を含む携帯型情報機器であって、  前記第１の筐体と前記第３の筐体とを、それらの間に前記第２の筐体を介在させて、それらが前記第２の筐体を両側から挟みこむように、互いに折り畳み可能に接続するための接続手段を備え、  前記第１の筐体は、少なくともその一方の面に表示画面（文字又は画像を映し出す面。以下同じ）が配置されており、  前記第２の筐体は、少なくともその一方の面に表示画面が配置されており、  前記第３の筐体は、少なくともその一方の面であって前記第２の筐体と共にユーザーと対向する面に、タッチパネルやキー群などのデータ入力部が配置されている、ことを特徴とする複数の筐体を有する携帯型情報機器。    【請求項１７】  第１の筐体、第２の筐体、及び第３の筐体を含む携帯型情報機器であって、  前記第１の筐体と前記第３の筐体とを、それらの間に前記第２の筐体を介在させて、それらが前記第２の筐体を両側から挟みこむように、互いに折り畳み可能に接続するための接続手段を備え、  前記第１の筐体は、少なくともその一方の面に表示画面（文字又は画像を映し出す面。以下同じ）が配置されており、  前記第２の筐体は、その両面にそれぞれ表示画面が配置されており、  前記第３の筐体は、少なくともその一方の面であって前記第２の筐体と共にユーザーと対向する面に、タッチパネルやキー群などのデータ入力部が配置されている、ことを特徴とする複数の筐体を有する携帯型情報機器。    【請求項１８】  請求項１４，１５，１６，又は１７において、  前記第１の筐体の前記一方の面の反対側の他方の面に、又は、前記第３の筐体の前記一方の面の反対側の他方の面に、ユーザーが遠隔の相手方と会話を行うための送話部及び／又は受話部が配置されている、複数の筐体を有する携帯型情報機器。    【請求項１９】  請求項１４，１５，１６，又は１７において、  前記第１の筐体の前記一方の面の反対側の他方の面に、又は、前記第３の筐体の前記一方の面の反対側の他方の面に、ユーザーが遠隔の相手方の電話番号などを入力するための複数の入力キーを含むデータ入力部が配置されている、複数の筐体を有する携帯型情報機器。    【請求項２０】  請求項１４，１５，１６，又は１７において、  前記第１の筐体及び第２の筐体を、これらの筐体のそれぞれユーザーと対向する各面の間の角度が「ユーザーが前記２つの面を共に自己に対向させた状態で見るの適した角度である約１１０度から約１７０度までの範囲内のいずれかの角度」となるように、固定又は半固定するための第１の固定手段と、  前記第２の筐体及び第３の筐体を、これらの筐体のそれぞれユーザーと対向する各面の間の角度が「ユーザーが前記２つの面の中のユーザーに近い側の面を使用してデータを入力すると共に前記２つの面の中のユーザーから離れている側の面を使用して前記入力されたデータを見るのに適した角度である約１００度から約１３０度までの範囲内のいずれかの角度」となるように、固定又は半固定するための第２の固定手段と、を備えたことを特徴とする、複数の筐体を有する携帯型情報機器。【手続補正２】
【補正対象書類名】明細書
【補正対象項目名】発明の名称
【補正方法】変更
【補正の内容】
【発明の名称】複数の筐体を有する携帯型情報機器